(57)【要約】【課題】両面印刷できない要因をユーザが認知でき、省資源の為に両面印刷実施の機会を増やすための両面印刷ファクシミリ装置を提供する。【解決手段】片面印刷になってしまった後に、何が障害となって両面印刷できないのかという要因を情報として記憶する記憶手段を有し、その要因をユーザにＬＣＤまたはレポート印刷によって知らせる。【選択図】        図１
2004221692.tif 000002
【特許請求の範囲】
【請求項１】
ユーザが両面印刷および片面印刷のいずれか一方の印刷モードの設定を行う印刷モード設定手段と、
前記印刷モード設定手段により選択された前記印刷モードによって印刷を行う印刷手段と、
前記印刷手段が片面印刷した後に、両面印刷できない要因を記憶する記憶手段と、
前記ユーザに前記両面印刷できない要因を知らせる表示手段と、
を有することを特徴とする両面印刷ファクシミリ装置。
【請求項２】
ユーザが両面印刷および片面印刷のいずれか一方の印刷モードの設定を行う印刷モード設定手段と、
前記印刷モード設定手段により選択された前記印刷モードによって印刷を行う印刷手段と、
前記印刷手段が片面印刷した後に、両面印刷できない要因を記憶する記憶手段と、
前記ユーザに前記両面印刷できない要因を知らせる表示手段と、
前記記憶手段で記憶した前記両面印刷できない要因を前記ユーザの要求に応じてレポートに印刷するレポート印刷手段と、
を有することを特徴とする両面印刷ファクシミリ装置。
【請求項３】
両面印刷優先を設定する両面印刷優先設定手段をさらに有し、
前記両面印刷できない要因が判明し、前記両面印刷できない要因に対する設定変更を行った後すぐに両面印刷を行うことを特徴とする請求項１または２記載の両面印刷ファクシミリ装置。
【請求項４】
前記両面印刷できない要因は、印刷モードの設定、給紙段、記録紙サイズ、紙種、長尺原稿のページと長さ、他機能との排他性のうち少なくとも１つであることを特徴とする請求項１から３のいずれか１項に記載の両面印刷ファクシミリ装置。
【請求項５】
前記記憶手段は、前記両面印刷できない要因とともに、送受信時の順番を識別するためのファイル番号を記憶することを特徴とする請求項１または２記載の両面印刷ファクシミリ装置。
【請求項６】
前記表示手段は、前記両面印刷できない要因とともに、送受信時の順番を識別するためのファイル番号を表示することを特徴とする請求項１または２記載の両面印刷ファクシミリ装置。
【請求項７】
前記両面印刷できない要因の表示方法は、前記表示手段および前記レポート印刷手段のうち少なくとも１つを前記ユーザが選択設定する表示方法選択手段とをさらに有することを特徴とする請求項２記載の両面印刷ファクシミリ装置。
【発明の詳細な説明】
【０００１】
【発明の属する技術分野】
本発明は、両面印刷時の利用促進を可能とする両面印刷ファクシミリ装置に関する。
【０００２】
【従来の技術】
現在、省資源を目的にして両面印刷機能を搭載しているマシンが一般的であるが、そのようなマシンでも両面印刷できないパターン（要因）が存在する。両面印刷できないパターン（要因）とは、まず、物理的な制約がある場合である。例えば、裏紙使用の場合（給紙段ごとに両面印刷／片面印刷の設定ができる）が挙げられる。また、メカ機構による制約も考えられる。例えば、両面機構に入らない記録紙（例えばＡ５横）が存在したり、手差し給紙は厚紙対応しているのが、両面機構は厚紙対応していなかったりするといった制約である。また、記録しようとした原稿が長尺である場合や他の機能との排他性（Ｉｎｔｏ１）も考えられる。
【０００３】
従来の技術例としては、両面長尺原稿の分割、片面記録をできるだけなくし、受信側のユーザに見やすい受信原稿を供給する「通信装置」がある（例えば、特許文献１参照）。また、画像データを更紙または裏紙に確実に記録できる構成とした「ファクシミリ装置」がある（例えば、特許文献２参照）。また、裏面用紙の利用に際し、印刷済の作像面への重複作像を確実に防止する「画像形成装置」がある（例えば、特許文献３参照）。
【０００４】
【特許文献１】
特開２０００−１５１９４６号公報
【特許文献２】
特開２００１−２６８３１２号公報
【特許文献３】
特開２００２−３２３８３０号公報
【０００５】
【発明が解決しようとする課題】
しかしながら、上記特許文献１から３記載の発明のような従来技術において、両面印刷ができない条件を記憶しておき、その条件を情報としてユーザに知らせる制御手段を有するものは無かった。
【０００６】
本発明は、上記事情に鑑みてなされたものであり、両面印刷の利用を促進する為に、両面印刷できないパターン（要因）をＬＣＤに表示できるようにし、また、両面印刷できないパターン（要因）をレポートに印刷できるようにすることによって、その時の理由をユーザが認知でき、省資源の為に両面印刷実施の機会を増やすための両面印刷ファクシミリ装置を提供することを目的とする。
【０００７】
また、本発明は、両面印刷優先を設定した時に、両面印刷できない要因の設定を変更した後すぐに両面印刷できるようにする両面印刷ファクシミリ装置を提供することを目的とする。
【０００８】
【課題を解決するための手段】
かかる目的を達成するために、請求項１記載の両面印刷ファクシミリ装置は、ユーザが両面印刷および片面印刷のいずれか一方の印刷モードの設定を行う印刷モード設定手段と、印刷モード設定手段により選択された印刷モードによって印刷を行う印刷手段と、印刷手段が片面印刷した後に、両面印刷できない要因を記憶する記憶手段と、ユーザに前記要因を知らせる表示手段とを有することを特徴としている。
【０００９】
請求項２記載のファクシミリ装置は、ユーザが両面印刷および片面印刷のいずれか一方の印刷モードの設定を行う印刷モード設定手段と、印刷モード設定手段により選択された印刷モードによって印刷を行う印刷手段と、印刷手段が片面印刷した後に、両面印刷できない要因を記憶する記憶手段と、ユーザに要因を知らせる表示手段と、記憶手段で記憶した要因をユーザの要求に応じてレポートに印刷するレポート印刷手段とを有することを特徴としている。
【００１０】
請求項３記載のファクシミリ装置は、請求項１または２記載の両面印刷ファクシミリ装置において、両面印刷優先を設定する両面印刷優先設定手段をさらに有し、両面印刷できない要因が判明し、要因に対する設定変更を行った後すぐに両面印刷を行うことを特徴としている。
【００１１】
請求項４記載のファクシミリ装置は、請求項１から３のいずれか１項に記載の両面印刷ファクシミリ装置において、両面印刷できない要因は、印刷モードの設定、給紙段、記録紙サイズ、紙種、長尺原稿のページと長さ、他の機能との排他性であるＩｎｔｏ１設定のうち少なくとも１つであることを特徴としている。
【００１２】
請求項５記載のファクシミリ装置は、請求項１または２記載の両面印刷ファクシミリ装置において、前記記憶手段は、両面印刷できない要因とともに、送受信時の順番を識別するためのファイル番号を記憶することを特徴としている。
【００１３】
請求項６記載のファクシミリ装置は、請求項１または２記載の両面印刷ファクシミリ装置において、表示手段は、両面印刷できない要因とともに、送受信時の順番を識別するためのファイル番号を表示することを特徴としている。
【００１４】
請求項７記載のファクシミリ装置は、請求項２記載の両面印刷ファクシミリ装置において、両面印刷できない要因の表示方法は、表示手段およびレポート印刷手段のうち少なくとも１つをユーザが選択設定する表示方法選択手段とをさらに有することを特徴としている。
【００１５】
【発明の実施の形態】
以下、本発明の実施形態である両面印刷ファクシミリ装置について、添付図面を参照しながら詳細に説明する。
【００１６】
図１はファクシミリのブロック図である。システム制御部００１は各部の制御処理およびファクシミリ電送制御手順を行う。システムメモリ（ＤＲＡＭ）００２は、システム制御部がプログラムを実行するときに、必要なデータ等を記憶し、またはワークエリアとして利用する。スキャナ００３は、所定の解像度で原稿を読み取る。プロッタ００４は、所定の解像度で画像または、リスト・レポート類を印刷する。読出専用メモリ（ＲＯＭ）００５は、プログラムや各種テーブルを格納する領域である。書込可能不揮発メモリ（ＳＲＡＭ）００６は、システム制御上必要なパラメータやユーザ操作などで得られる登録データを格納する。網制御部００７は、公衆電話回線網に接続するもので、自動発信機能を持つ。Ｇ３ＦＡＸモデム００８は、グループ３ファクシミリのモデム機能を実現するものである。画像メモリ（ＳＡＦ）００９は、必要に応じて、送信画像や受信画像を記録しておくものである。符号化復号化部０１０は、生画像を定められた符号に圧縮したり、符号化された画像を元の生画像に伸長したりするものである。操作表示部０１１は、通信操作や登録操作などを行うもので、各種のキーや表示部から構成される。
【００１７】
複合機の両面印刷機能としては、ファクス受信、プリンタ、コピー、レポート印刷などが考えられる。本発明では主要機能である、ファクス受信とプリンタ、コピー、レポート印刷の両面印刷ができない場合の情報入手についてのものである。
【００１８】
裏面排紙のマシンは、排紙したまま最初のページから最終ページへと順番に読める。表面排紙のマシンは、排紙したまま読むと最終ページから最初のページの順番となる。本実施形態では裏面排紙のマシンを想定して説明するが、表面排紙のマシンも表面、裏面の印刷順は異なるがテキスト部と画像部に分ける考え方は同じである。
【００１９】
次に、図９参照を参照して両面印刷機構について説明する。書込み部は１箇所で、片面書込み後に記録紙を逆転させてパスを切り替えて元のパスに戻す方式である。書込み部が２箇所の方式でも、本発明は有効である。また記録スピードがどのようになっていようとも、本発明は有効である。ただし、裏面排紙の場合は、最初にＰ２を第１面として印刷してから、Ｐ１を第２面として印刷する。したがってページ分割の判断もして両面印刷する為にページメモリを２ページ分確保して、Ｐ１、Ｐ２の順にページメモリに展開してＰ２から両面印刷する。
【００２０】
次に、ファクシミリ受信時の動作について、各データパスを中心に説明する。
【００２１】
まず、直接受信のデータパスについて説明する。全体はシステム制御部００１が読出専用メモリ００５からプログラムを読み出し、システムメモリ００２、書込可能不揮発メモリ００６を使用しながら制御する。受信時は網制御部００７で着呼を検出して回線を閉結して呼をつなぐ。その後プロトコルの交換を行ない画情報（圧縮）をＧ３ＦＡＸモデム００８でデジタル信号に変換して圧縮データを画像メモリ（ＳＡＦ）００９に蓄積すると共に符号化復号化部０１０で画情報（生）に復号化してシステムメモリ００２上にあるページメモリ（ＰＭ）に展開して、そのデータをプロッタ００４に送り印刷する。途中でプロッタがダウンしても良いように画像メモリ（ＳＡＦ）００９に蓄積して画情報を保証している（図２参照）。
【００２２】
次に、メモリ受信のデータパスについて説明する。画像メモリ（ＳＡＦ）００９に蓄積するまでは直接受信と同じであるが、符号化復号化部０１０から先のデータパスは通さない。プロッタ００４へも画情報（生）を送らない。これは、印字は受信後に行うメモリ受信だからである。回線を切断した後に、画像メモリ（ＳＡＦ）００９を読み出して符号化復号化部０１０で画情報（生）に復号化してシステムメモリ００２上のページメモリ（ＰＭ）に展開してプロッタ００４に送り印刷する（図３参照）。
【００２３】
次に、バッファコピーのデータパスについて説明する。スキャナ００３で読取った画情報はシステムメモリ００２上にあるページメモリ（ＰＭ）に展開して、そのデータをプロッタ００４に送り印刷する（図４参照）。
【００２４】
次に、メモリコピーのデータパスについて説明する。画像メモリ（ＳＡＦ）００９に蓄積した後は、メモリ受信のデータパスと同じである。スキャナ００３で読取った画情報（生）は、符号化複合化部０１０で圧縮されて画像メモリ（ＳＡＦ）００９に蓄積する。蓄積した画情報（圧縮）は画像メモリ（ＳＡＦ）００９から読み出して符号化復号化部０１０で画情報（生）に復号化してシステムメモリ００２上のページメモリ（ＰＭ）に展開してプロッタ００４に送り印刷する（図５参照）。
【００２５】
次に、両面印刷時の受信方式について説明する。通常は直接受信、メモリ受信共に両面印刷できる。直接受信の場合は、バックグラウンドで画像メモリ（ＳＡＦ）００９に蓄積しているので、同時に画情報（圧縮）を復号化して画情報（生）にしてシステムメモリ００２上のページメモリ（ＰＭ）に展開する。１ページ目を受信した時点で相手にＭＣＦを返します。ここでは印刷しない。２ページ目を受信した時点で相手にＭＣＦを返し、２ページ分の情報（生）がＰＭにたまったら両面印刷モードで印刷する。その後、奇数ページでは印刷せず、偶数ページを受信した時点において両面印刷モードで印刷する。最終ページが奇数ページであれば片面印刷モードで印刷する。ただし印刷面を一定にしたい場合は、偶数ページは白紙を印刷して、両面機構を通して後に奇数ページを印刷する。このようにすれば奇数ページの印刷面が一定となり、片面にロゴ入りの記録紙を使用しても、順序良く並ぶ。最終ページが偶数ページであれば両面印刷モードで印刷する。
【００２６】
一方、メモリ受信の場合は、すべての画情報を受け取って回線切断した後に、印刷に入る。画像メモリ（ＳＡＦ）００９から奇数ページと偶数ページの画情報（圧縮）を読み出して符号化復号化部０１０で画情報（生）に復号化してシステムメモリ（ＤＲＡＭ）００２上のＰＭに展開する。プロッタ００４は２ページ分の画情報（生）のページメモリがたまったら、両面印刷モードで印刷する。最終ページが奇数ページであれば片面印刷モードで印刷する。
【００２７】
次に、両面印刷時のコピー方式について説明する。通常はバッファコピー、メモリコピー共に両面印刷できる。バッファコピーの場合は、読取った画情報（生）をそのままシステムメモリ００２上のページメモリ（ＰＭ）に展開する。１ページ目を読取った時点では印刷しない。２ページ目を読取った時点で２ページ分の画情報（生）がＰＭにたまったら両面印刷モードで印刷する。その後も同様に奇数ページでは印刷せず、偶数ページを読取った時点で両面印刷モードで印刷する。最終ページが奇数ページであれば片面印刷モードで印刷する。ただし印刷面を一定にしたい場合は、偶数ページは白紙を印刷して、両面機構を通して後に奇数ページを印刷する。このようにすれば奇数ページの印刷面が一定となり、片面にロゴ入りの記録紙を使用しても、順序良く並ぶ。最終ページが偶数ページであれば両面印刷モードで印刷する。
【００２８】
次に、レポート印刷データパスについて説明する。レポート印刷データパスはテキスト部と画像部に分かれる。
【００２９】
まず、レポートテキスト部の画像作成（データパス）であるが、読み出し専用メモリ００５上にあるＣＧ（キャラクタジェネレータ）から画情報に展開してシステムメモリ（ＤＲＡＭ）００２上のＰＭに展開する。両面印刷できない要因をレポート印刷する設定の場合と両面印刷優先設定の場合とにおいて、両面印刷が指定された時は改ページする。
【００３０】
次に、レポート画像部の画像作成（データパス）であるが、画像メモリ（ＳＡＦ）００９から画情報（圧縮）を読み出して符号化復号化部０１０で画情報（生）に復号化してシステムメモリ（ＤＲＡＭ）００２上のＰＭに展開する。
【００３１】
次に、テキスト部＋画像部の印刷であるが、プロッタ００４はテキスト部と画像部の画情報（生）がページメモリにたまったら、両面印刷モードで印刷する。最終ページが奇数ページであれば片面印刷モードで印刷する。
【００３２】
次に、両面印刷できないパターンについて説明する。両面印刷できないパターンとは、１）物理的な制約、２）メカ機構による制約、３）記録原稿が長尺、４）他の機能との排他性（Ｉｎｔｏ１）であり、以下それぞれのパターンについて説明する。
【００３３】
１つ目のパターンの物理的な制約がある場合とは、例えば、裏紙を使用する場合（給紙段ごとに両面印刷／片面印刷の設定ができる）である。ロゴ入り記録紙を使用したり、裏紙を使用したりするために給紙段ごとに両面印刷／片面印刷が設定できる様になっている。片面印刷に設定されている場合は両面印刷できないようになっている。
【００３４】
２つ目のパターンであるメカ機構による制約とは、▲１▼両面機構に入らない記録紙が存在することや▲２▼手差し給紙は厚紙対応しているのが、両面機構は厚紙対応していないことなどである。▲１▼については、メカの両面印刷機構の制約で両面印刷できない記録紙が存在する。例えば、両面印刷機構の排紙ローラと搬送ローラの間の距離がＡ５横記録紙長（約１４８ｍｍ）より長い場合、Ａ５横記録紙は両面印刷機構を通らないので両面印刷できない。▲２▼については手差し給紙には厚紙／普通紙の設定ができる様になっているが、厚紙を指定した時は両面印刷機構が厚紙に対応していないので両面印刷不可能である。
【００３５】
３つ目のパターンは、記録しようとした原稿が長尺の場合である。長尺原稿を印刷仕様としたときには、両面印刷のページ分割が複雑になるので、長尺原稿の場合は両面印刷しないようになっている。
【００３６】
４つ目のパターンは、他の機能との排他性（Ｉｎｔｏ１）である。Ｉｎｔｏ１とは、原稿長が短い原稿は記録紙１ページに複数ページを書き込む機能である。ここでは両面印刷にすると記録紙ページ数が意図したものとならない可能性があるので両面印刷できないようにしてある。
【００３７】
次に、本発明の第１の実施形態について説明する。
（第１の実施形態）
受信、レポートの場合は片面印刷した後に、両面印刷ができなかった要因を記憶しておく。ＬＣＤ上にファイルＮｏとできないパターン（要因）を表示する。コピーの時は、あらかじめできないときは両面印刷ができないようになっているので、その設定画面で要因を表示する。
【００３８】
第１の両面印刷できない要因として、両面印刷機能がＯＦＦに設定されている場合がある。受信原稿を印刷又はレポート印刷し、片面印刷した場合に、ファイルＮｏと要因として両面印刷がＯＦＦに設定されていることを記憶する。ユーザが要求したときにＬＣＤ上でファイルＮｏと要因を表示する（図７−１  （ａ）（ｂ）（ｃ）参照）。
【００３９】
第２の両面印刷できない要因として、給紙が片面印刷に設定されている場合がある。受信原稿を印刷又はレポート印刷したときに、片面印刷した場合に、ファイルＮｏと要因として片面印刷設定されている給紙段と片面印刷設定を記憶する。ユーザが要求したときにＬＣＤ上でファイルＮｏと要因を表示する（図７−２参照）。
【００４０】
第３の両面印刷できない要因として、両面印刷できない記録紙サイズに設定されている場合がある。受信原稿を印刷又はレポート印刷したときに、片面印刷した場合に、ファイルＮｏと要因として両面印刷できない記録紙サイズと給紙段を記憶する。ユーザが要求したときにＬＣＤ上でファイルＮｏと要因を表示する（図７−３参照）。
【００４１】
第４の両面印刷できない要因として、手差しの紙種（厚紙／普通紙）が両面印刷できない紙種に設定されている場合がある。受信原稿を印刷又はレポート印刷したときに、片面印刷した場合に、ファイルＮｏと要因として両面印刷できない紙種を記憶する。ユーザが要求したときにＬＣＤ上でファイルＮｏと要因を表示する（図７−４参照）。
【００４２】
第５の両面印刷できない要因として、長尺原稿を印刷しようとした場合がある。受信原稿を印刷又はレポート印刷したときに、片面印刷した場合に、ファイルＮｏと要因として、給紙段と長尺原稿のページと長さを記憶する。ユーザが要求したときにＬＣＤ上でファイルＮｏと要因を表示する（図７−５参照）。
【００４３】
第６の両面印刷できない要因として、Ｉｎｔｏ１に設定されている場合がある。受信原稿を印刷又はレポート印刷したときに、片面印刷した場合に、ファイルＮｏと要因としてＩｎｔｏ１設定を記憶する。ユーザが要求したときにＬＣＤ上でファイルＮｏと要因を表示する（図７−６参照）。
【００４４】
次に、本発明の第２の実施形態について説明する。
（第２の実施形態）
上記第１の実施形態においてＬＣＤで確認するところを、レポート印刷することにより、要因を判らせる。レポートサンプルは省略する。
【００４５】
次に、本発明の第３の実施形態について説明する。
（第３の実施形態）
図８参照を参照にして説明する。両面印刷優先を設定しておくと、第１の実施形態での両面印刷受信が自動的にＯＮになる。この後に第１、２の実施形態で確認した要因の設定を変更するとすぐに両面印刷ができるようになる。通常では両面印刷はＯＦＦされて、自分の意思で両面印刷をＯＮにセットする必要があるが、両面印刷優先設定をしておくと両面印刷が不可の要因を設定するだけである。
【００４６】
【発明の効果】
以上の説明から明らかなように、請求項１記載の両面印刷ファクシミリ装置によれば、ユーザが両面印刷の利用を促進する時に、マシン側からの情報を表示することにより、設定を変更して両面印刷の利用を促進できる。
【００４７】
請求項２記載の両面印刷ファクシミリ装置によれば、ユーザが両面印刷の利用を促進する時に、マシン側からの情報をレポートに印刷することにより、設定を変更して両面印刷の利用を促進できる。
【００４８】
請求項３記載の両面印刷ファクシミリ装置によれば、請求項１または２記載の両面印刷ファクシミリ装置において、両面印刷優先を設定する両面印刷優先設定手段をさらに有し、両面印刷できない要因が判明し、要因に対する設定変更を行った後すぐに両面印刷を行うことを特徴としているので、要因解決したらすぐに両面印刷ができるようになり、両面印刷の利用を促進できる。
【００４９】
請求項４記載のファクシミリ装置によれば、請求項１から３のいずれか１項に記載の両面印刷ファクシミリ装置において、両面印刷できない要因は、印刷モードの設定、給紙段、記録紙サイズ、紙種、長尺原稿のページと長さ、Ｉｎｔｏ１設定のうち少なくとも１つであることを特徴としているので、両面印刷ができない様々なケースに対応ができる。
【００５０】
請求項５記載のファクシミリ装置によれば、請求項１または２記載の両面印刷ファクシミリ装置において、記憶手段は、両面印刷できない要因とともに、送受信時の順番を識別するためのファイル番号を記憶することを特徴としているので、ユーザは印刷不備のファイルの番号を認識できる。
【００５１】
請求項６記載のファクシミリ装置によれば、請求項１または２記載の両面印刷ファクシミリ装置において、表示手段は、両面印刷できない要因とともに、送受信時の順番を識別するためのファイル番号を表示することを特徴としているので、ユーザは印刷不備のファイルの番号を認識できる。
【００５２】
請求項７記載のファクシミリ装置は、請求項２記載の両面印刷ファクシミリ装置において、両面印刷できない要因の表示方法は、表示手段およびレポート印刷手段の少なくとも１つをユーザが選択設定する表示方法選択手段とをさらに有することを特徴としているので、ユーザは両面印刷できない要因を知る方法を選択することができる。
【図面の簡単な説明】
【図１】本発明の実施形態である両面印刷ファクシミリ装置の内部構成を示すブロック図である。
【図２】本発明の実施形態である両面印刷ファクシミリ装置の直接受信のデータパスを示す説明図である。
【図３】本発明の実施形態である両面印刷ファクシミリ装置のメモリ受信のデータパスを示す説明図である。
【図４】本発明の実施形態である両面印刷ファクシミリ装置のバッファコピーのデータパスを示す説明図である。
【図５】本発明の実施形態である両面印刷ファクシミリ装置のメモリコピーのデータパスを示す説明図である。
【図６】本発明の実施形態である両面印刷ファクシミリ装置のレポート印刷のデータパスを示す説明図である。
【図７】本発明の第１の実施形態にかかる設定画面の例を示す説明図である。
【図８】本発明の第３の実施形態にかかる設定画面の例を示す説明図である。
【図９】本発明の実施形態である両面印刷ファクシミリ装置の両面印刷機構を示すブロック図である。
【符号の説明】
００１  システム制御部
００２  システムメモリ（ＤＲＡＭ）
００３  スキャナ
００４  プロッタ
００５  読出専用メモリ（ＲＯＭ）
００６  書込可能不揮発メモリ（ＳＲＡＭ）
００７  網制御部
００８  Ｇ３ＦＡＸモデム
００９  画像メモリ（ＳＡＦ）
０１０  符号化復号化部
０１１  操作表示部
０１２  システムバス
【図１】
2004221692.tif 000003
【図２】
2004221692.tif 000004
【図３】
2004221692.tif 000005
【図４】
2004221692.tif 000006
【図５】
2004221692.tif 000007
【図６】
2004221692.tif 000008
【図７】
2004221692.tif 000009
【図８】
2004221692.tif 000010
【図９】
2004221692.tif 000011